(57)【特許請求の範囲】
【請求項１】
防災頭巾を収容する外形が略矩形の収容袋を備えた防災頭巾ケースであって、
前記収容袋の一方の面側を覆う覆い部材を備え、
前記覆い部材は、その周囲のみが前記収容袋に連結されており、当該覆い部材と前記収容袋の一方の面との間に空間部を形成し、
前記収容袋の略矩形の特定の辺側に位置する前記覆い部材の辺全体は、前記収容袋に連結せずに開口して前記空間部と連通する開口部を形成しており、
前記開口部が形成された辺とは反対側に位置する前記覆い部材の辺の中央部は、前記収容袋に連結せずに開口して前記空間部と連通する中央開口部を形成しており、
前記中央部が形成された前記覆い部材の辺の一方の端部及び他方の端部は、それぞれ前記収容袋に連結せずに開口して前記空間部と連通する一方の端部開口部及び他方の端部開口部を形成しており、
前記覆い部材の前記中央開口部と前記一方の端部開口部との間、及び、前記覆い部材の前記中央開口部と前記他方の前記端部開口部との間が、それぞれ前記収容袋に連結して形成されており、
防災頭巾ケースの少なくとも一部が浮力部材で構成されており、
前記収容袋は、前記防災頭巾を出し入れする出し入れ口を有しており、当該出し入れ口付近に、当該出し入れ口を上方に向けて提げることが可能な取っ手を備えた、
防災頭巾ケース。
【請求項２】
請求項１に記載の防災頭巾ケースであって、
前記覆い部材の前記開口部は、当該開口部から前記空間部内に、椅子の背もたれが挿通可能であり、かつ、人間の上半身が挿通可能なよう構成されており、
前記覆い部材の前記中央開口部は、人間の頭部が前記空間部内から外側に挿通可能なよう構成されており、
前記覆い部材の各前記端部開口部は、それぞれ人間の腕部が前記空間部内から外側に挿通可能なよう構成されており、
防災頭巾ケース自体が、椅子の背もたれ及び人間の上半身に装着可能なよう構成されている、
防災頭巾ケース。
【請求項３】
請求項１又は２に記載の防災頭巾ケースであって、
前記開口部と前記一方の端部開口部との間に位置する前記覆い部材の周囲、及び、前記開口部と前記一方の端部開口部との間に位置する前記覆い部材の周囲は、それぞれ前記収容袋に連結されていると共に、少なくとも一方が開口可能に構成されている、
防災頭巾ケース。
【請求項４】
請求項１乃至３のいずれかに記載の防災頭巾ケースの前記収容袋に、前記防災頭巾が収容された防災頭巾セット。
【発明の詳細な説明】
【技術分野】
【０００１】
本発明は、防災頭巾ケースにかかり、特に、救命胴衣として利用可能な防災頭巾ケースに関する。
【背景技術】
【０００２】
児童が通学する学校では、地震などの災害に備え、個々に防災頭巾を常備していることが多々ある。例えば、防災頭巾は、畳んだ状態で防災頭巾ケースに入れ、椅子の座面に敷いておいたり、ケース部分を椅子の背もたれに被せて当該背もたれに装着して、常備される。
【０００３】
また、津波や洪水と言った水害にも対応すべく、救命胴衣も常備しておくことが望ましい。このような状況から、特許文献１，２に示すような、救命胴衣（ライフジャケット）になる防災頭巾が考えられている。
【先行技術文献】
【特許文献】
【０００４】
【特許文献１】実用新案登録第３１８０６５２号公報
【特許文献２】実用新案登録第３１９１５０５号公報
【発明の概要】
【発明が解決しようとする課題】
【０００５】
しかしながら、特許文献１，２に記載されている構造の防災頭巾は、装着する場合に、防災頭巾自体を開き、体に巻き付け、さらに、バンドで固定する、といった作業が必要となる。すると、救命胴衣として利用する場合には、装着に手間や時間がかかる、という問題が生じる。
【０００６】
このため、本発明の目的は、上述した課題である、防災頭巾を救命胴衣として利用する際に、装着に手間や時間がかかる、ということを解決することにある。
【課題を解決するための手段】
【０００７】
本発明の一形態である防災頭巾ケースは、
防災頭巾を収容する外形が略矩形の収容袋を備えた防災頭巾ケースであって、
前記収容袋の一方の面側を覆う覆い部材を備え、
前記覆い部材は、その周囲のみが前記収容袋に連結されており、当該覆い部材と前記収容袋の一方の面との間に空間部を形成し、
前記収容袋の略矩形の特定の辺側に位置する前記覆い部材の辺全体は、前記収容袋に連結せずに開口して前記空間部と連通する開口部を形成しており、
前記開口部が形成された辺とは反対側に位置する前記覆い部材の辺の中央部は、前記収容袋に連結せずに開口して前記空間部と連通する中央開口部を形成しており、
前記中央部が形成された前記覆い部材の辺の一方の端部及び他方の端部は、それぞれ前記収容袋に連結せずに開口して前記空間部と連通する一方の端部開口部及び他方の端部開口部を形成しており、
前記覆い部材の前記中央開口部と前記一方の端部開口部との間、及び、前記覆い部材の前記中央開口部と前記他方の前記端部開口部との間が、それぞれ前記収容袋に連結して形成されており、
防災頭巾ケースの少なくとも一部が浮力部材で構成されている、
という構成をとる。
【０００８】
また、上記防災頭巾ケースでは、
前記覆い部材の前記開口部は、当該開口部から前記空間部内に、椅子の背もたれが挿通可能であり、かつ、人間の上半身が挿通可能なよう構成されており、
前記覆い部材の前記中央開口部は、人間の頭部が前記空間部内から外側に挿通可能なよう構成されており、
前記覆い部材の各前記端部開口部は、それぞれ人間の腕部が前記空間部内から外側に挿通可能なよう構成されており、
防災頭巾ケース自体が、椅子の背もたれ及び人間の上半身に装着可能なよう構成されている、
という構成をとる。
【０００９】
また、上記防災頭巾ケースでは、
前記開口部と前記一方の端部開口部との間に位置する前記覆い部材の周囲、及び、前記開口部と前記一方の端部開口部との間に位置する前記覆い部材の周囲は、それぞれ前記収容袋に連結されていると共に、少なくとも一方が開口可能に構成されている、
という構成をとる。
【００１０】
また、上記防災頭巾ケースでは、
前記収容袋は、前記防災頭巾を出し入れする出し入れ口を有しており、当該出し入れ口付近に、当該出し入れ口を上方に向けて提げることが可能な取っ手を備えた、
という構成をとる。
【００１１】
また、本発明の他の形態である防災頭巾セットは、上記防災頭巾ケースの前記収容袋に、前記防災頭巾が収容された、
という構成をとる。
【発明の効果】
【００１２】
本発明は、以上のように構成されることにより、迅速かつ容易に防災頭巾と救命胴衣を利用することができる。
【図面の簡単な説明】
【００１３】
【図１】本発明である防災頭巾セットの構成を示す図である。
【図２】図１に開示した防災頭巾セットを側方から見た図である。
【図３】防災頭巾セットを椅子の背もたれに装着したときの様子を示す図である。
【図４】防災頭巾セットを人間の上半身に装着した時の様子を示す図である。
【図５】本発明である防災頭巾セットの他の構成を示す図である。
【発明を実施するための形態】
【００１４】
本発明である防災頭巾セットの実施形態を、図１乃至図４を参照して説明する。図１乃至図２は、防災頭巾セットの構成を示す図であり、図３乃至図４は、防災頭巾セットの使用例を示す図である。
【００１５】
本実施形態における防災頭巾セットは、防災頭巾１と、これを収容する防災頭巾ケース２と、から構成されている。防災頭巾１は一般的な防災頭巾であり、本発明は、以下に説明するように、防災頭巾ケース２に特徴を有する。
【００１６】
図１に示すように、本実施形態における防災頭巾ケース２は、まず、防災頭巾１を収容する収容袋１０を備えている。収容袋１０は、外形が長方形状に形成されている。なお、収容袋１０の外形は、長方形状であることに限定されず、防災頭巾１の形状に合わせて略矩形であることが望ましいが、防災頭巾１を収容可能であればいかなる形状であってもよい。
【００１７】
また、収容袋１０は、所定の生地で形成されている。このとき、収容袋１０は、生地自体が水中で浮力を有する部材（浮力部材）で構成されていてもよく、生地内に発泡プラスチック層などの浮力部材を内蔵して構成されていてもよい。但し、収容袋１０は、必ずしも浮力部材で構成されていることに限定されない。
【００１８】
具体的に、収容袋１０は、表面１１と裏面１２とを形成する生地部材によって挟まれた収容空間１３を形成しており、かかる収容空間１３に防災頭巾１を収容している。このとき、収容袋１０は、長方形の一辺（例えば、図１の左側の辺）が開口しており、かかる開口部分が収容空間１３に連通して防災頭巾１を出し入れ可能とする出し入れ口を構成している。なお、この収容空間１３の出し入れ口には、収容された防災頭巾１が外部に飛び出てしまうことを防止するホックなどの飛び出し防止部材が設けてられていてもよい。さらに、収容空間１３の出し入れ口には、当該出し入れ口を上方に向けて防災頭巾ケース２自体を手に持ってぶら下げるための手提げ用取っ手が設けられていてもよい。
【００１９】
また、収容袋１０は、上記出し入れ口を、他の辺に設けてもよい。例えば、図１に示す出し入れ口（図１の左側の辺）とは反対側の辺（図１の右側の辺）にファスナーなどを設けて、防災頭巾１を出し入れ可能なよう構成してもよい。これにより、防災頭巾ケース２の複数方向から防災頭巾１を取り出すことが可能となり、非常時に容易に防災頭巾１を取り出すことができる。
【００２０】
そして、防災頭巾ケース２は、収容袋１０の裏面１２（一方の面）側に、当該裏面１２側を覆う覆い部材２０を備えている。この覆い部材２０は、防災頭巾ケース２と同様に、外形が略長方形状に形成されている。そして、覆い部材２０は、その周囲の一部のみが収容袋１０の周囲に連結している。これにより、覆い部材２０と収容袋１０の裏面との間が離間可能に形成されており、つまり、覆い部材２０と収容袋１０の裏面との間に空間部が形成されるよう構成されている。
【００２１】
また、覆い部材２０は、所定の生地で形成されている。このとき、覆い部材２０は、生地自体が水中で浮力を有する部材（浮力部材）で構成されていてもよく、生地内に発泡プラスチック層などの浮力部材を内蔵して構成されていてもよい。但し、覆い部材２０は、必ずしも浮力部材で構成されていることに限定されない。上述した収容袋１０を含めて、防災頭巾ケース２の少なくとも一部が浮力部材で構成されていればよい。
【００２２】
具体的に、覆い部材２０は、その周囲のうち、収容袋１０の長辺（特定の辺）側に位置する辺、図１の例では、下方側の辺（符号２５の箇所）が、全体的に収容袋１０に連結されていない。このため、覆い部材２０の下方側の辺は、覆い部材２０自体と収容袋１０の裏面１２との間の空間部に連通するよう開口する開口部２５を形成している。
【００２３】
また、覆い部材２０の、上記開口部２５が形成されている図１で示す下方側の辺とは反対側である図１で示す上方側の辺は、一部のみが収容袋１０の周囲と連結されている。詳しく説明すると、まず、覆い部材２０の上方側の辺の中央部（符号２３の箇所）は、外周側から略半円弧状に切除された形状であり、収容袋２０に連結せず、覆い部材２０自体と収容袋１０の裏面１２との間の空間部に連通するよう開口する中央開口部２３を形成している。また、覆い部材２０の上方側の辺の両方の端部、つまり、一方の端部（符号２４ａの箇所）と他方の端部（符号２４ｂの箇所）は、それぞれ略扇形状に切除された形状であり、収容袋２０に連結せず、覆い部材２０自体と収容袋１０の裏面１２との間の空間部に連通するよう開口する一方の端部開口部２４ａ及び他方の端部開口部２４ｂを形成している。これに伴い、覆い部材２０の上方側の辺は、上記中央開口部２３と上記一方の端部開口部２４ａとの間（符号２１ａの箇所）、及び、上記中央開口部２３と上記他方の端部開口部２４ｂとの間（符号２１ｂの箇所）が、それぞれ収容袋２０の周囲（図１の上方の辺）に連結して、上部連結部２１ａ，２１ｂを構成している。なお、上部連結部２１ａ，２１ｂは、それぞれ覆い部材２０の該当箇所が収容袋１０に縫い付けられることで形成されている。
【００２４】
そして、覆い部材２０の図１に示す側方の辺（符号２２ａ，２２ｂで示す箇所）、つまり、上述した開口部２５と一方及び他方の端部開口部２４ａ，２４ｂとの間に位置する覆い部材２０の周囲は、それぞれ収容袋２０に連結され、側部連結部２２ａ，２２ｂを構成している。なお、側部連結部２２ａ，２２ｂは、それぞれ覆い部材２０の該当箇所が収容袋１０に縫い付けられることで形成されている。但し、側部連結部２２ａ，２２ｂは、一方あるいは両方が、例えば、面ファスナーなどで収容袋１０に開口可能なよう連結していてもよい。つまり、側部連結部２２ａ，２２ｂの収容袋１０に対する連結状態が解除されて開口することで、側部連結部２２ａ，２２ｂ箇所が、覆い部材２０と収容袋１０の裏面１２との間の空間部に連通する形状となってもよい。
【００２５】
ここで、上述した覆い部材２０の形状について、防災頭巾ケース２自体の使用方法と併せて詳しく説明する。なお、以下で説明する図２（Ａ）は、図１に示す防災頭巾セットを左側から見た図であり、図２（Ｂ）は、右側から見た図である。
【００２６】
まず、覆い部材２０の開口部２５は、図２に示すように、収容袋１０の裏面１２と所定の距離だけ離間するよう構成されている。これにより、防災頭巾ケース２は、図３に示すように、開口部２５から、覆い部材２０と収容袋１０の裏面１２との間の空間部内に、椅子３の背もたれ部分が挿通可能となる。このとき、椅子３の背もたれの上端部分には、防災頭巾ケース２に設けられた上部連結部２１ａ，２１ｂが当接して、防災頭巾ケース２が落下することを係止することができる。
【００２７】
このようにして、防災頭巾ケース２を椅子３の背もたれに装着することができ、当該ケース２に収容された防災頭巾１を椅子３に常備することができる。なお、図３の例では、覆い部材２０側が人間の背中側に位置するよう装着しているが、防災頭巾１を収容する収容袋１０側が人間の背中側に位置するよう装着してもよい。
【００２８】
また、図４（Ａ）に示すように、覆い部材２０の開口部２５は、当該開口部２５から、覆い部材２０と収容袋１０の裏面１２との間の空間部内に、人間４の上半身が挿通可能なよう形成されている。このとき、人間４は、まず、頭部及び腕部を開口部２５側から空間部内に挿入し、その後、頭部を中央開口部２３から外部に向かって挿通させ、また、各腕部をそれぞれ各端部開口部２４ａ，２４ｂから外部に向かって挿通させる。すると、人間４の肩に、上部連結部２１ａ，２１ｂが位置し、また、人間４の脇腹に側部連結部２２ａ，２２ｂが位置することとなり、覆い部材２０が人間４の胸部側を覆い、収容袋１０が人間４の背中側を覆うこととなる。このようにして、図４（Ａ）に示すように、防災頭巾ケース２を人間４の上半身に装着することができる。つまり、人間４は、防災頭巾ケース２を上半身に着用することができる。
【００２９】
上述したように、人間４に着用された防災頭巾ケース２は、当該防災頭巾ケース２に装備された浮力部材によって、救命胴衣として機能することとなる。そして、上記構成の防災頭巾ケース２は、椅子３の背もたれに常備されているとともに、あらかじめ人間４の上半身用の衣類と同様の形状となっているため、緊急時であっても迅速かつ容易に着用することができる。その結果、防災頭巾としても、救命胴衣としても、迅速かつ容易に利用することができ、災害時の利便性が向上する。
【００３０】
なお、図４（Ａ）の例では、覆い部材２０が胸部側に位置するよう人間４が防災頭巾ケース２を着用しているが、反対向きに着用してもよい。つまり、図４（Ｂ）に示すように、収容袋１０が胸部側に位置するよう人間４が防災頭巾ケース２を着用してもよい。
【００３１】
ここで、上述したように、防災頭巾ケース２の側部連結部２２ａ，２２ｂが収容袋１０に対して開口可能に構成されている場合には、当該側部連結部２２ａ，２２ｂを開口した状態に操作して、人間４が着用してもよい。このようにすることで、人間４が着用することが容易となる。そして、その場合には、着用後に側部連結部２２ａ，２２ｂを収容袋１０に連結する操作することで、救命胴衣として適切に利用可能となる。
【００３２】
次に、図５を参照して、本発明である防災頭巾セットの他の構成を説明する。この例における防災頭巾セットは、図１で示したものに対して防災頭巾ケース２の構成が異なる。具体的には、防災頭巾ケース２を構成する収容袋１０の上方に位置する長辺に、収容空間１３に防災頭巾１を出し入れ可能とする出し入れ口が形成されている。そして、この出し入れ口を上方側として、当該上方側に覆い部材２０の中央開口部２３及び端部開口部２４ａ，２４ｂが形成され、その反対側の下方側に覆い部材２０の開口部２５が形成されている。
【００３３】
さらに、この例における防災頭巾ケース２には、収容空間１３の出し入れ口に、当該出し入れ口を上方に向けたまま防災頭巾ケース２自体を手に持ってぶら下げるための手提げ用取っ手１５が設けられている。これにより、防災頭巾ケース２は、利用者が手提げ用取っ手１５を持って提げることで、上方に位置する出し入れ口から収容空間１３内に防災頭巾１以外のものも入れることができ、用途が広がる。
【００３４】
なお、上述した防災頭巾ケース２に収容する防災頭巾１自体の少なくとも１部を、浮力を有する部材で構成してもよい。これにより、防災頭巾１を収容したまま防災頭巾ケース２を着用した場合には、より多くの浮力を得ることができる。
【００３５】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００３６】
１  防災頭巾
２  防災頭巾ケース
３  椅子
４  人間
１０  収容袋
１１  表面
１２  裏面
１３  収容空間
１５  取っ手
２０  覆い部材
２１ａ，２１ｂ  上部連結部
２２ａ，２２ｂ  側部連結部
２３  中央開口部
２４ａ，２４ｂ  端部開口部
２５  開口部
【図１】
0006630951.tif 000002
【図２】
0006630951.tif 000003
【図３】
0006630951.tif 000004
【図４】
0006630951.tif 000005
【図５】
0006630951.tif 000006